(57)【要約】【課題】四神獣をご神体としたお守りをとおして、ご加護があると信じられる四神組お守りを提供することを目的とする。【解決手段】青龍体、白虎体、朱雀体及び玄武体の夫々に孔が貫通して設けられ、これらの孔を前記紐が通り抜けるとともに、前記青龍体、白虎体、朱雀体及び玄武体の夫々下部において、前記孔を通り抜けた前記紐を前記房に連索し、かつ、前記青龍体、白虎体、朱雀体及び玄武体の夫々が上部の前記紐を介して台プレートに係止されることを特徴とする四神組お守りである。【選択図】図６
0003123334.tif 000002
【実用新案登録請求の範囲】
【請求項１】
青龍体、白虎体、朱雀体及び玄武体を一揃えにした四神組お守りであって、
前記青龍体、白虎体、朱雀体及び玄武体の夫々上部に紐を備えるとともに、前記四神獣体の夫々下部に房を備えることを特徴とする四神組お守り。  
【請求項２】
前記青龍体、白虎体、朱雀体及び玄武体の夫々に孔が貫通して設けられ、
これらの孔を前記紐が通り抜けるとともに、
前記青龍体、白虎体、朱雀体及び玄武体の夫々下部において、前記孔を通り抜けた前記紐を前記房に連索し、
かつ、前記青龍体、白虎体、朱雀体及び玄武体の夫々が上部の前記紐を介して台プレートに係止されることを特徴とする請求項１記載の四神組お守り。
【考案の詳細な説明】
【技術分野】
【０００１】
この考案は、四神獣をご神体としたお守りに関するものである。詳しくは、東西南北を表示する青龍、白虎、朱雀、玄武から成る四神獣をご神体とし、家相や地相、鬼門等からくる災いを除けるための四神組お守りに関するものである。
【背景技術】
【０００２】
お守りには各種各様のものがある。材料では板材、紙材、あるいは合成樹脂材、金属材等各種の材料が使用されているし、形状的には方形状、円形状や立体形状等のものがある。そしてその用途としては、交通安全、入試合格を始めとして家内安全や開運厄除け等種々の祈願のため使用される。さらに、その使用方法としては特定の場所、部屋に吊したり掛けたり、あるいは肌身に付けたり、身に付けたりして使用されているものである。このように各種各様のお守りがあるが、古くから風水占いや四神獣をご神体とするお守りは見当たらない。
【０００３】
四神獣とは、中国の伝統的な守護神で青龍（東、春）、朱雀（南、夏）、白虎（西、秋）、玄武（北、冬）を指し、それぞれ四季を司り、あるいは四方を守る神の名称である。青龍は東方を鎮座する神獣であり、天からの恵みの雨を降らせて豊作と健康長寿、家運の隆盛を祈念する。また、龍が天に昇ることから、運気上昇、立身出世、商売、事業、営業の発展、成功を呼ぶとされている。白虎は西方を鎮座する神獣であり、虎は一日千里を駆けると言われるが、その喩の通りすさまじい生命力と旺盛な勢力を象徴し、財運を上昇させ、子宝と安産を授け、家庭円満、夫婦和合に導くと言われる。そして、朱雀は南方を鎮座する神獣であり、天上で神仏と住むと言われる瑞鳥で、吉事の到来を予兆し、羽は災厄をはらい、凶を吉に変換させる力があると言われる。太陽の気を呼び、地位が向上し、末永く家が安定するとされ、さらには大いなる福徳と平安を約束すると言われる。また、玄武は北方を鎮座する神獣であり、無病長寿と富を招く亀と、財をもたらし、災厄をはねのける蛇の霊力を併せ持ち、降りかかる病魔をはらい、人間関係を良くし、息災長寿と子孫繁栄を授けると言われる。
【０００４】
ところで、お守りについては数々のものが提案されている。その一例としてカード形状の表面に予め祈願を施した宝石類を取り付けたお守りがある。このカードは、テレホンカードや名刺程度のサイズが好ましく、財布や定期入れなど、身の回り品に容易に収納でき、簡単に取り出して見たり、触れたりできる程度のサイズのカード形状であり、カードの材質は、紙製、布製、樹脂製、金属製などいずれでも良いが、宝石類との組み合わせから接着性と保存性の良い樹脂製などが好ましく、その外面に、高級感のある布被覆や高級紙被覆を施したものである。（例えば、特許文献１参照）。
【０００５】
【特許文献１】特開２００４−３５８０７２号公報
【考案の開示】
【考案が解決しようとする課題】
【０００６】
以上の通りであって、特許文献１に代表されるように、従来のお守りには、まとめると次のような問題点がある。
【０００７】
お守りには古くから各種のものがあったが、この各種各様のお守りに風水占いや四神獣をご神体としたお守りは見当たらなかった。古くから風水や四神獣という言葉は広く知られているが、風水や四神獣を用いる占いに必要な知識はあまり知られていない。この風水や四神獣によって方位、あるいは運や幸福等人間生活に関する吉凶を占うことができるとされ、人間生活の環境から個人の性格の吉凶を始め、占いあるいは予測することができるとされている。このような風水や四神獣をご神体とするお守りの考え方は極めて荘厳なものである。そこでこの考案は四神獣をご神体としたお守りをとおして、ご加護があると信じられる四神組お守りを提供することを目的とする。
【課題を解決するための手段】
【０００８】
本考案者等は、四神獣はそれぞれ四季をつかさどり、あるいは四方を守る守護神であり、延いては健康長寿、家運の隆盛を祈念し、運気上昇、立身出世、商売、事業、営業の発展、成功を呼ぶことに着目した。そして、四神獣を組お守りにするという着想を具現化させたもので、請求項１の考案は、青龍体、白虎体、朱雀体及び玄武体を一揃えにした四神組お守りであって、前記青龍体、白虎体、朱雀体及び玄武体の夫々上部に紐を備えるとともに、前記四神獣体の夫々下部に房を備えることを特徴とする四神組お守りである。
【０００９】
また、請求項２の考案は、請求項１の上記特徴に加えて、前記青龍体、白虎体、朱雀体及び玄武体の夫々に孔が貫通して設けられ、これらの孔を前記紐が通り抜けるとともに、前記青龍体、白虎体、朱雀体及び玄武体の夫々下部において、前記孔を通り抜けた前記紐を前記房に連索し、かつ、前記青龍体、白虎体、朱雀体及び玄武体の夫々が上部の前記紐を介して台プレートに係止されることを特徴とする四神組お守りである。
【考案の効果】
【００１０】
この考案は、四神獣は四方を護る守護神であり、延いては健康長寿、家運の隆盛を祈念し、運気上昇、立身出世、商売、事業、営業の発展、成功を呼ぶことから、この組お守りを家相や地相、鬼門等から来る災いを除けるお守りとして、四神獣体の夫々をばらにして、夫々の四神獣が持つ方位に合わせてリビング、勉強部屋、子供部屋、寝室等の部屋の四隅に掲げる。その結果、家族の団欒の場を守り、健全と円満が末永く守られるように祈願される。また、子供の心を落ち着かせ、勉強がはかどる等のご利益があるとされる。
【考案を実施するための最良の形態】
【００１１】
本考案の実施の形態を、添付図面に示した本考案の実施例に基づいて以下に具体的に説明する。
【実施例１】
【００１２】
先ず、本考案の実施例について、図１〜図５を参照しながら説明する。図１は青龍部の平面図であり、図２図は、図１における青龍体の上下を貫通する孔及び紐を拡大して示す斜視図である。図３は白虎部の平面図であり、図４は、朱雀部の平面図であり、図５は玄武部の平面図である。図６は、台プレートに四神獣体を配置した四神組お守りの平面図である。
【００１３】
図１は四神獣のうち、青龍を象った青龍体１１を間にして上下部に紐１２，１２および下部に帯状の房１３を備える。上下部の紐１２，１２は、青龍体１１の真ん中を上下に貫通して孔１４が設けられ、この孔１４を通り抜けた紐１２の一方端，他方端である。青龍体１１の上部において紐１２の一方端を蝶結びにした三つの環が形成され、青龍体１１の下部において孔１４を通り抜けた紐１２の他方端を帯状の房１３に連索することによって青龍部１が形成される。図２は、青龍体１１の真ん中を貫通する孔１４の部位を下方から見たもので、この孔１４を貫通する紐１２の他方端を示す。他の白虎体、朱雀体、玄武体についても同様である。
【００１４】
また、図３は四神獣のうち、白虎を象った白虎体２１を間にして上下部に紐２２，２２および下部に帯状の房２３を備える。上下部の紐２２，２２は、白虎体２１の真ん中を上下に貫通して孔２４が設けられ、この孔２４を通り抜けた
紐２２の一方端，他方端である。白虎体２１の上部において紐２２の一方端を蝶結びにした三つの環が形成され、白虎体２１の下部において孔２４を通り抜けた紐２２の他方端を帯状の房２３に連索することによって白虎部２が形成される。
【００１５】
また、図４は四神獣のうち、朱雀を象った朱雀体３１を間にして上下部に紐３２，３２および下部に帯状の房３３を備える。上下部の紐３２，３２は、朱雀体３１の真ん中を上下に貫通して孔３４が設けられ、この孔３４を通り抜けた紐３２の一方端，他方端である。朱雀体３１の上部において紐３２の一方端を蝶結びにした三つの環が形成され、朱雀体３１の下部において孔３４を通り抜けた紐３２の他方端を帯状の房３３に連索することによって朱雀部３が形成される。
【００１６】
そして、図５は四神獣のうち、玄武を象った玄武体４１を間にして上下部に紐４２，４２および下部に帯状の房４３を備える。上下部の紐４２，４２は、玄武体４１の真ん中を上下に貫通して孔４４が設けられ、この孔４４を通り抜けた紐４２の一方端，他方端である。玄武体４１の上部において紐４２の一方端を蝶結びにした三つの環が形成され、玄武体４１の下部において孔４４を通り抜けた紐４２の他方端を帯状の房４３に連索することによって玄武部４が形成される。
【００１７】
以上の四神獣体を台プレートに配置した状態を図６に四神組お守りＡとして示す。一枚の台プレート５の上方に玄武部４、下方に朱雀部３、右方に青龍部１及び左方に白虎部２を配置する。台プレート５の上下左右の四神獣体の夫々上方に、切れ目５１、５２、５３、５４を刻み、これらの切れ目の夫々に四神獣体に備える環状の紐１２、２２、３２、４２を係止する。このようにして台プレート５に夫々四神獣体を固定し、青龍体、白虎体、朱雀体及び玄武体から成る四神獣体を一揃えにした四神組お守りとする。ここで、四神獣体を一揃えにする態様として、台プレート５の上に平面的に配置する他、紐、糸、細ワイヤあるいはゴム等で四神獣体を一束にする方法もある。
【００１８】
以上のように構成され、次に作用について説明する。
【００１９】
四神組お守りとして神社等で購入した後、四神獣体の夫々をばらにしてこれらの上部における蝶結びした環状の紐を使って部屋の隅に掛ける。その際、青龍部は東北の方向に、朱雀部は東南の方向に、白虎部は西南の方向に、玄武部は西北の方向に環状の紐を掛け、掲げることによって、家相や地相、鬼門等からくる災いから家族全員を護ってもらう。また、このようにして四方に掲げられた四神獣体をご神体とするお守りは、風水占いに必要な方位の要素を保持しているものである。そしてこのお守りによって風水のご利益を得ることができると願って形成されたものであり、部屋の適所に飾って置くこともできるという機能を有する。
【図面の簡単な説明】
【００２０】
【図１】本考案の実施の形態における青龍部位の平面図である。
【図２】同上、図１における青龍体の上下を貫通する孔を示す斜視図である。
【図３】同上、白虎部位の平面図面図である。
【図４】同上、朱雀部位の平面図である。
【図５】同上、玄武部位の平面図である。
【図６】同上、台プレートに四神を配置した組お守りの平面図である。
【符号の説明】
【００２１】
Ａ  四神組お守り
１  青龍部
１１  青龍体
１２  紐
１３  房
１４  孔
２  白虎部
２１  白虎体
２２  紐
２３  房
２４  孔
３  朱雀部
３１  朱雀体
３２  紐
３３  房
３４  孔
４  玄武部
４１  玄武体
４２  紐
４３  房
４４  孔  
５  台プレート
５１、５２、５３、５４  切れ目
【図１】
0003123334.tif 000003
【図２】
0003123334.tif 000004
【図３】
0003123334.tif 000005
【図４】
0003123334.tif 000006
【図５】
0003123334.tif 000007
【図６】
0003123334.tif 000008